(57)【要約】【課題】ユーザの選択によって削除対象になった画像データの削除理由を収集することができる撮像装置、撮像方法および撮像プログラムを提供する。【解決手段】撮像素子６が生成した画像データに対応する画像を表示する表示部１７と、撮像素子６が生成した画像データに基づいて、撮影時におけるシーンを解析して被写体の特徴量を算出する特徴量算出部１４と、撮像素子６が生成した画像データ記録する記録媒体１９と、画像を記録媒体１９から削除するとき、特徴量算出部１４が算出した特徴量に基づいて、複数の削除理由を推定する削除理由推定部１４と、削除理由推定部１４が推定した複数の削除理由を表示部１７に表示させる表示制御部２６２と、複数の削除理由の中からいずれか一つ以上を選択する指示信号の入力を受け付ける入力部１６と、を備える。【選択図】図２
2013219692.tif 000002
【特許請求の範囲】
【請求項１】
被写体を撮像して該被写体の画像データを生成する撮像部と、
前記撮像部が生成した画像データに対応する画像を表示する表示部と、
前記撮像部が生成した前記画像データに基づいて、前記被写体の特徴量を算出する特徴量算出部と、
前記撮像部が生成した前記画像データ記録する記録部と、
前記画像を前記記録部から削除するとき、前記特徴量算出部が算出した前記特徴量に基づいて、複数の削除理由を推定する削除理由推定部と、
前記削除理由推定部が推定した前記複数の削除理由を前記表示部に表示させる表示制御部と、
前記複数の削除理由の中からいずれか一つ以上を選択する指示信号の入力を受け付ける入力部と、
を備えたことを特徴とする撮像装置。
【請求項２】
前記入力部からの前記指示信号に応じて選択された前記削除理由に関する情報を前記記録部に記録するとともに、前記画像に対応する前記画像データを前記記録部から削除する記録制御部と、
をさらに備えたことを特徴とする請求項１に記載の撮像装置。
【請求項３】
前記記録制御部は、前記画像データと前記特徴量とを対応付けて前記記録部に記録するとともに、選択された前記削除理由に関する情報と前記特徴量とを対応付けて前記記録部に記録することを特徴とする請求項２に記載の撮像装置。
【請求項４】
前記画像データに対して所定の画像処理を行う画像処理部と、
選択された前記削除理由に基づいて、前記画像処理部が行う前記画像処理のパラメータを制御する画像処理制御部と、
をさらに備えたことを特徴とする請求項１〜３のいずれか一つに記載の撮像装置。
【請求項５】
前記記録部は、前記複数の削除理由がそれぞれ選択された選択回数を記録し、
前記画像処理制御部は、選択された前記削除理由のこれまでの前記選択回数に応じて、前記画像処理のパラメータを変更することを特徴とする請求項４に記載の撮像装置。
【請求項６】
前記撮像部は、前記被写体を連続的に撮影して複数の前記画像データを生成可能であり、
前記入力部は、前記表示部が表示する複数の画像の中からいずれか一つを選択する選択信号の入力を受け付け、
前記記録制御部は、前記入力部から入力された前記選択信号に応じて選択された前記画像データを前記記録部に記録するとともに、選択されなかった他の前記画像データを前記記録部から削除することを特徴とする請求項５に記載の撮像装置。
【請求項７】
前記画像処理部は、前記画像データに対して、前記削除理由を解消する画像処理を施して処理画像データを生成可能であり、
前記表示制御部は、前記処理画像データに対応する処理画像を該処理画像で解消された削除理由を示す画像として前記表示部に表示させることを特徴とする請求項６に記載の撮像装置。
【請求項８】
前記複数の削除理由は、前記被写体の明るさ、前記被写体の鮮やかさ、前記被写体の大きさおよび前記被写体の表情を少なくとも一つを含むことを特徴とする請求項１〜７のいずれか一つに記載の撮像装置。
【請求項９】
前記表示制御部は、不明を示す情報を前記表示部に表示させることを特徴とする請求項８に記載の撮像装置。
【請求項１０】
被写体を撮像して該被写体の画像データを生成する撮像部と、前記撮像部が生成した画像データに対応する画像を表示する表示部と、を備えた撮像装置が実行する撮像方法であって、
前記撮像部が生成した前記画像データに基づいて、撮影時におけるシーンを解析して前記被写体の特徴量を算出する特徴量算出ステップと、
前記撮像部が生成した前記画像データと前記特徴量算出部が算出した前記特徴量とを対応付けて記録する記録ステップと、
前記画像を削除するとき、前記特徴量算出ステップで算出された前記特徴量に基づいて、複数の削除理由を推定する削除理由推定ステップと、
前記削除理由推定ステップで推定した前記複数の削除理由を前記表示部に表示させる表示制御ステップと、
前記複数の削除理由の中からいずれか一つ以上を選択する指示信号の入力を受け付ける入力ステップと、
を含むことを特徴とする撮像方法。
【請求項１１】
被写体を撮像して該被写体の画像データを生成する撮像部と、前記撮像部が生成した画像データに対応する画像を表示する表示部と、を備えた撮像装置に実行させる撮像プログラムであって、
前記撮像部が生成した前記画像データに基づいて、撮影時におけるシーンを解析して前記被写体の特徴量を算出する特徴量算出ステップと、
前記撮像部が生成した前記画像データ記録する記録ステップと、
前記画像を削除するとき、前記特徴量算出ステップで算出された前記特徴量に基づいて、複数の削除理由を推定する削除理由推定ステップと、
前記削除理由推定ステップで推定した前記複数の削除理由を前記表示部に表示させる表示制御ステップと、
前記複数の削除理由の中からいずれか一つ以上を選択する指示信号の入力を受け付ける入力ステップと、
を含むことを特徴とする撮像プログラム。
【発明の詳細な説明】
【技術分野】
【０００１】
本発明は、被写体を撮像して該被写体の画像データを生成する撮像装置、撮像方法および撮像プログラムに関する。
【背景技術】
【０００２】
近年、デジタルカメラやデジタルビデオカメラ等の撮像装置では、撮影するシーンを自動的に検出し、この検出結果に応じて最適な画像処理を画像データに施すシーン判定機能が搭載されている。このシーン判定機能を搭載した撮像装置は、シーンに応じて色やコントラスト等の画像処理のパラメータを変更し、この変更したパラメータを用いて画像データに画像処理を施している。
【０００３】
また、表示モニタが複数の画像を表示している場合において、この複数の画像の中から画像を削除するとき、削除対象の画像を解析して像ブレやフレームアウト等の撮影ミスか否かを判定し、削除対象の画像が撮影ミスであると判定した場合、撮影ミスの原因を表示モニタに表示させる技術が知られている（特許文献１参照）。
【先行技術文献】
【特許文献】
【０００４】
【特許文献１】特開２００３−４６９４７号公報
【発明の概要】
【発明が解決しようとする課題】
【０００５】
ところで、上述した従来技術では、撮像装置が判定したシーンに応じて最適な画像処理を画像データに施しているが、この画像処理が必ずしもユーザの好みと一致するとは限らない。
【０００６】
また、上述した特許文献１では、削除対象の画像データに対して撮影ミスの判断を行うが、ユーザの好みまで判断することができなかった。このため、ユーザの選択によって削除対象になった画像データの削除理由を得ることができる技術が求められていた。
【０００７】
本発明は、上記に鑑みてなされたものであって、ユーザの選択によって削除対象になった画像データの削除理由を得ることができる撮像装置、撮像方法および撮像プログラムを提供することを目的とする。
【課題を解決するための手段】
【０００８】
上述した課題を解決し、目的を達成するために、本発明にかかる撮像装置は、被写体を撮像して該被写体の画像データを生成する撮像部と、前記撮像部が生成した画像データに対応する画像を表示する表示部と、前記撮像部が生成した前記画像データに基づいて、前記被写体の特徴量を算出する特徴量算出部と、前記撮像部が生成した前記画像データ記録する記録部と、前記画像を前記記録部から削除するとき、前記特徴量算出部が算出した前記特徴量に基づいて、複数の削除理由を推定する削除理由推定部と、前記削除理由推定部が推定した前記複数の削除理由を前記表示部に表示させる表示制御部と、前記複数の削除理由の中からいずれか一つ以上を選択する指示信号の入力を受け付ける入力部と、を備えたことを特徴とする。
【０００９】
また、本発明にかかる撮像装置は、上記発明において、前記入力部からの前記指示信号に応じて選択された前記削除理由に関する情報を前記記録部に記録するとともに、前記画像に対応する前記画像データを前記記録部から削除する記録制御部と、をさらに備えたことを特徴とする。
【００１０】
また、本発明にかかる撮像装置は、上記発明において、前記記録制御部は、前記画像データと前記特徴量とを対応付けて前記記録部に記録するとともに、選択された前記削除理由に関する情報と前記特徴量とを対応付けて前記記録部に記録することを特徴とする。
【００１１】
また、本発明にかかる撮像装置は、上記発明において、前記画像データに対して所定の画像処理を行う画像処理部と、選択された前記削除理由に基づいて、前記画像処理部が行う前記画像処理のパラメータを制御する画像処理制御部と、をさらに備えたことを特徴とする。
【００１２】
また、本発明にかかる撮像装置は、上記発明において、前記記録部は、前記複数の削除理由がそれぞれ選択された選択回数を記録し、前記画像処理制御部は、選択された前記削除理由のこれまでの前記選択回数に応じて、前記画像処理のパラメータを変更することを特徴とする。
【００１３】
また、本発明にかかる撮像装置は、上記発明において、前記撮像部は、前記被写体を連続的に撮影して複数の前記画像データを生成可能であり、前記入力部は、前記表示部が表示する複数の画像の中からいずれか一つを選択する選択信号の入力を受け付け、前記記録制御部は、前記入力部から入力された前記選択信号に応じて選択された前記画像データを前記記録部に記録するとともに、選択されなかった他の前記画像データを前記記録部から削除することを特徴とする。
【００１４】
また、本発明にかかる撮像装置は、上記発明において、前記画像処理部は、前記画像データに対して、前記削除理由を解消する画像処理を施して処理画像データを生成可能であり、前記表示制御部は、前記処理画像データに対応する処理画像を該処理画像で解消された削除理由を示す画像として前記表示部に表示させることを特徴とする。
【００１５】
また、本発明にかかる撮像装置は、上記発明において、前記複数の削除理由は、前記被写体の明るさ、前記被写体の鮮やかさ、前記被写体の大きさおよび前記被写体の表情を少なくとも一つを含むことを特徴とする。
【００１６】
また、本発明にかかる撮像装置は、上記発明において、前記表示制御部は、不明を示す情報を前記表示部に表示させることを特徴とする。
【００１７】
また、本発明にかかる撮像方法は、被写体を撮像して該被写体の画像データを生成する撮像部と、前記撮像部が生成した画像データに対応する画像を表示する表示部と、を備えた撮像装置が実行する撮像方法であって、前記撮像部が生成した前記画像データに基づいて、撮影時におけるシーンを解析して前記被写体の特徴量を算出する特徴量算出ステップと、前記撮像部が生成した前記画像データと前記特徴量算出部が算出した前記特徴量とを対応付けて記録する記録ステップと、前記画像を削除するとき、前記特徴量算出ステップで算出された前記特徴量に基づいて、複数の削除理由を推定する削除理由推定ステップと、前記削除理由推定ステップで推定した前記複数の削除理由を前記表示部に表示させる表示制御ステップと、前記複数の削除理由の中からいずれか一つ以上を選択する指示信号の入力を受け付ける入力ステップと、を含むことを特徴とする。
【００１８】
また、本発明にかかる撮像プログラムは、被写体を撮像して該被写体の画像データを生成する撮像部と、前記撮像部が生成した画像データに対応する画像を表示する表示部と、を備えた撮像装置に実行させる撮像プログラムであって、前記撮像部が生成した前記画像データに基づいて、撮影時におけるシーンを解析して前記被写体の特徴量を算出する特徴量算出ステップと、前記撮像部が生成した前記画像データ記録する記録ステップと、前記画像を削除するとき、前記特徴量算出ステップで算出された前記特徴量に基づいて、複数の削除理由を推定する削除理由推定ステップと、前記削除理由推定ステップで推定した前記複数の削除理由を前記表示部に表示させる表示制御ステップと、前記複数の削除理由の中からいずれか一つ以上を選択する指示信号の入力を受け付ける入力ステップと、を含むことを特徴とする。
【発明の効果】
【００１９】
本発明によれば、表示部が表示する画像を記録部から削除するとき、特徴量算出部が算出した特徴量に基づいて、削除理由推定部が複数の削除理由を推定し、表示制御部が削除理由推定部によって推定された複数の削除理由を表示部に表示させ、入力部が複数の削除理由の中からいずれか一つ以上を選択する指示信号の入力を受け付ける。これにより、ユーザの選択によって削除対象になった画像データの削除理由を得ることができるという効果を奏する。
【図面の簡単な説明】
【００２０】
【図１】図１は、本発明の一実施の形態にかかる撮像装置のユーザに面する側の構成を示す斜視図である。
【図２】図２は、本発明の一実施の形態にかかる撮像装置の構成を示すブロック図である。
【図３】図３は、本発明の一実施の形態にかかる撮像装置の推定削除理由情報記録部が記録する推定削除理由情報としての推定削除理由情報テーブルの一例を示す図である。
【図４】図４は、本発明の一実施の形態にかかる撮像装置が実行する処理の概要を示すフローチャートである。
【図５】図５は、図４の画像処理の概要を示すフローチャートである。
【図６】図６は、図４の再生表示処理の概要を示すフローチャートである。
【図７】図７は、本発明の一実施の形態にかかる撮像装置の表示制御部が表示部に表示させる推定理由の一例を示す図である。
【図８】図８は、本発明の一実施の形態の変形例１における撮像装置の表示制御部が表示部に表示させる推定理由の一例を示す図である。
【図９】図９は、本発明の一実施の形態の変形例２における撮像装置の表示制御部が表示部に表示させる画像の一例を示す図である。
【図１０】図１０は、本発明の一実施の形態の変形例３における撮像装置の表示制御部が表示部に表示させる画像の一例を示す図である。
【図１１】図１１は、本発明の一実施の形態の変形例４における撮像装置の表示制御部が表示部に表示させる画像の一例を示す図である。
【図１２】図１２は、本発明の一実施の形態の変形例５における撮像装置の表示制御部が表示部に表示させる画像の一例を示す図である。
【発明を実施するための形態】
【００２１】
以下に、図面を参照して、本発明を実施するための形態（以下、「実施の形態」という）について説明する。なお、以下に説明する実施の形態によって本発明が限定されるものではない。さらに、図面の記載において、同一の部分には同一の符号を付して説明する。
【００２２】
図１は、本発明の一実施の形態にかかる撮像装置のユーザに面する側（背面側）の構成を示す斜視図である。図２は、本発明の一実施の形態にかかる撮像装置の構成を示すブロック図である。図１および図２に示す撮像装置１は、本体部２と、本体部２に着脱自在なレンズ部３と、を備える。
【００２３】
本体部２は、シャッタ４と、シャッタ駆動部５と、撮像素子６と、撮像素子駆動部７と、信号処理部８と、Ａ／Ｄ変換部９と、画像処理部１０と、ＡＥ処理部１１と、ＡＦ処理部１２と、画像圧縮展開部１３と、特徴量算出部１４と、削除理由推定部１５と、入力部１６と、表示部１７と、表示駆動部１８と、記録媒体１９と、メモリＩ／Ｆ２０と、ＳＤＲＡＭ（Synchronous  Dynamic  Random  Access  Memory）２１と、Ｆｌａｓｈメモリ２２と、本体通信部２３と、外部通信部２４と、バス２５と、制御部２６と、を備える。
【００２４】
シャッタ４は、撮像素子６の状態を露光状態または遮光状態に設定する。シャッタ駆動部５は、ステッピングモータやＤＣモータ等を用いて構成され、制御部２６から入力される指示信号に応じてシャッタ４を駆動する。
【００２５】
撮像素子６は、レンズ部３が集光した光を受光して電気信号に変換するＣＣＤ（Charge  Coupled  Device）またはＣＭＯＳ（Complementary  Metal  Oxide  Semiconductor）等を用いて構成され、被写体の画像データを生成する。撮像素子駆動部７は、所定のタイミングで撮像素子６から画像データ（アナログ信号）を信号処理部８に出力させる。この意味で、撮像素子駆動部７は、電子シャッタとして機能する。
【００２６】
信号処理部８は、撮像素子６から入力される画像データに対して、アナログ処理を施してＡ／Ｄ変換部９に出力する。具体的には、信号処理部８は、画像データに対して、ノイズ低減処理およびゲインアップ処理等を行う。たとえば、信号処理部８は、画像データに対して、リセットノイズ等を低減した上で波形整形を行い、さらに目的の明るさとなるようにゲインアップを行う。
【００２７】
Ａ／Ｄ変換部９は、信号処理部８から入力されるアナログ信号に対してＡ／Ｄ変換を行うことによってデジタルの画像データを生成し、バス２５を介してＳＤＲＡＭ２１に出力する。
【００２８】
画像処理部１０は、バス２５を介してＳＤＲＡＭ２１から画像データを取得し、取得した画像データ（ＲＡＷデータ）に対して各種の画像処理を行って処理画像データを生成する。この処理画像データは、バス２５を介してＳＤＲＡＭ２１に出力される。画像処理部１０は、基本画像処理部１０１と、特殊効果処理部１０２と、を有する。
【００２９】
基本画像処理部１０１は、画像データに対して、少なくとも、オプティカルブラック減算処理、ホワイトバランス調整処理、撮像素子がベイヤー配列の場合には画像データの同時化処理、カラーマトリクス演算処理、γ補正処理、色再現処理およびエッジ強調処理等を含む基本の画像処理を行う。また、基本画像処理部１０１は、予め設定された各画像処理のパラメータに基づいて、自然な画像を再現する仕上がり効果処理を行って処理画像データを生成する。ここで、画像処理のパラメータとは、コントラスト、シャープネス、彩度、ホワイトバランスおよび階調等の値である。
【００３０】
特殊効果処理部１０２は、画像データに対して複数の画像処理を組み合わせることにより視覚的な効果を生じさせる特殊効果処理を行って特殊効果処理画像データ（以下、「特殊処理画像」という）を生成する。この特殊効果処理の組み合わせとしては、たとえば、トーンカーブ処理、ぼかし処理、シェーディング追加処理、画像合成処理、ノイズ重畳処理、彩度調整処理および画像合成処理のいずれか一つ以上を含む組み合わせである。
【００３１】
ＡＥ処理部１１は、バス２５を介してＳＤＲＡＭ２１に記録された画像データを取得し、取得した画像データに基づいて、静止画撮影または動画撮影を行う際の露出条件を設定する。具体的には、ＡＥ処理部１１は、画像データから輝度を算出し、算出した輝度に基づいて、たとえば絞り値（Ｆ値）の設定値、シャッタ速度等を決定することで撮像装置１の自動露出を行う。
【００３２】
ＡＦ処理部１２は、バス２５を介してＳＤＲＡＭ２１に記録された画像データを取得し、取得した画像データに基づいて、撮像装置１の自動焦点の調整を行う。たとえば、ＡＦ処理部１２は、画像データから高周波成分の信号を取り出し、高周波成分の信号に対してＡＦ（Auto  Focus）演算処理を行うことによって、撮像装置１の合焦評価を決定することで撮像装置１の自動焦点の調整を行う。
【００３３】
画像圧縮展開部１３は、バス２５を介してＳＤＲＡＭ２１から画像データを取得し、取得した画像データに対して所定の形式に従って圧縮し、この圧縮した画像データをＳＤＲＡＭ２１に出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部１３は、バス２５およびメモリＩ／Ｆ２０を介して記録媒体１９に記録された画像データ（圧縮画像データ）を取得し、取得した画像データを展開（伸長）してＳＤＲＡＭ２１に出力する。
【００３４】
特徴量算出部１４は、バス２５を介してＳＤＲＡＭ２１から画像データを取得し、取得した画像データに基づいて、撮影時におけるシーンを解析して被写体の特徴量を算出する。具体的には、特徴量算出部１４は、画像データに基づいて、被写体を検出することによってシーンの特徴を示す特徴量を算出する。たとえば、特徴量算出部１４は、画像データから被写体として人物や動物の顔を検出してシーンを人物と判定した場合、人物または動物、大きさ（サイズや領域）および位置等を特徴量として算出する。また、特徴量算出部１４は、画像データやレンズ部３のピント位置等に基づいて、撮影時の撮像装置１から被写体までの被写体距離を算出し、この算出した被写体距離等に応じて風景か否かを判定後、シーンを風景と判定した場合、画像データに含まれる青色成分の分布から晴天風景か否かの判定結果を特徴量をとして算出する。さらに、特徴量算出部１４は、画像データの輝度分布等に基づいて、明暗の差が大きいシーンか否かを算出する。さらにまた、特徴量算出部１４は、画像データの色分布に基づいて、高彩度被写体または低彩度被写体か否かを判定し、この判定結果を特徴量として算出する。なお、撮影時におけるシーンとしては、ポートレート、人物、風景、スポーツ、夜景、ハイキー、ローキー、マクロおよび夕日等が含まれる。なお、特徴量算出部１４は、被写体距離と露出値とに基づいて、画像データのシーンを解析してもよい。
【００３５】
削除理由推定部１５は、バス２５を介して後述するＦｌａｓｈメモリ２２の推定削除理由情報記録部２２４が記録する推定削除理由情報を参照して、表示部１７が表示している画像に対応する画像データが削除されるとき、この画像データに対応付けられた特徴量または特徴量算出部１４が算出した特徴量に基づいて、複数の削除理由を推定する。具体的には、削除理由推定部１５は、削除される画像に対して、ユーザが好まなかった理由を推定する。ここで、削除理由は、被写体の明るさ、被写体の鮮やかさ、被写体の顔の表情および被写体の大きさ等である。
【００３６】
入力部１６は、表示部１７が複数の削除理由を表示している際に、複数の削除理由の名からいずれか一つ以上を選択する指示信号の入力を受け付ける。入力部１６は、撮像装置１の電源状態をオン状態またはオフ状態に切り換える電源スイッチ１６１と、静止画撮影の指示を与える静止画レリーズ信号の入力を受け付けるレリーズスイッチ１６２と、記録媒体１９が記録する画像データを削除する削除信号の入力を受け付ける削除スイッチ１６３と、撮像装置１の各種設定を切り換える操作スイッチ１６４と、撮像装置１の各種設定を表示部１７に表示させるメニュースイッチ１６５と、記録媒体１９に記録された画像データに対応する画像を表示部１７に表示させる再生スイッチ１６６と、動画撮影の指示を与える動画レリーズ信号の入力を受け付ける動画スイッチ１６７と、外部からの接触を検出し、この検出した位置に応じた位置信号の入力を受け付けるタッチパネル１６８と、を有する。
【００３７】
レリーズスイッチ１６２は、外部からの押圧により進退可能であり、半押しされた場合に撮影準備動作を指示するファーストレリーズ信号の入力を受け付ける一方、全押しされた場合に静止画撮影を指示するセカンドレリーズ信号の入力を受け付ける。操作スイッチ１６４は、メニュー画面等における選択設定を行う上下左右の各方向スイッチ１６４ａ〜１６４ｄと、メニュー画面等における各方向スイッチ１６４ａ〜１６４ｄによる操作を決定する決定スイッチ１６４ｅ（ＯＫスイッチ）とを有する（図１を参照）。なお、操作スイッチ１６４は、ダイヤルスイッチ等を用いて構成してもよい。
【００３８】
タッチパネル１６８は、外部からの物体のタッチを検出し、この検出したタッチ位置に応じた位置信号（座標位置を示す信号）を制御部２６に出力する。また、タッチパネル１６８は、ユーザが表示部１７で表示される情報、たとえばアイコン画像やサムネール画像に基づいてタッチした位置（座標位置）を検出し、この検出したタッチ位置に応じて撮像装置１が行う動作を指示する指示信号や画像を選択する選択信号の入力を受け付けてもよい。一般に、タッチパネル１６８としては、抵抗膜方式、静電容量方式および光学方式等がある。本実施の形態では、いずれの方式のタッチパネルであっても適用可能である。
【００３９】
表示部１７は、液晶または有機ＥＬ（Electro  Luminescence）等からなる表示パネルを用いて構成される。表示駆動部１８は、バス２５を介してＳＤＲＡＭ２１に記録された画像データまたは記録媒体１９に記録された画像データを取得し、取得した画像データに対応する画像を表示部１７に表示させる。ここで、画像の表示には、撮影直後の画像データを所定時間（たとえば３秒間）だけ表示するレックビュー表示、記録媒体１９に記録された画像データを再生する再生表示、および撮像素子６が連続的に生成する画像データに対応するライブビュー画像を時系列に沿って順次表示するライブビュー表示等が含まれる。また、表示部１７は、撮像装置１の操作情報および撮影に関する情報を適宜表示する。
【００４０】
記録媒体１９は、撮像装置１の外部から装着されるメモリカード等を用いて構成される。記録媒体１９は、メモリＩ／Ｆ２０を介して撮像装置１に着脱自在に装着される。記録媒体１９には、その種類に応じた図示しない読み書き装置によって画像処理部１０や画像圧縮展開部１３が処理を施した画像データが書き込まれ、または読み出し装置によって記録媒体１９に記録された画像データが読み出される。また、記録媒体１９は、制御部２６の制御のもと、メモリＩ／Ｆ２０およびバス２５を介して撮像プログラムおよび各種情報それぞれをＦｌａｓｈメモリ２２に出力してもよい。
【００４１】
ＳＤＲＡＭ２１は、揮発メモリを用いて構成される。ＳＤＲＡＭ２１は、バス２５を介してＡ／Ｄ変換部９から入力される画像データ、画像処理部１０から入力される画像データおよび撮像装置１の処理中の情報を一時的に記録する。たとえば、ＳＤＲＡＭ２１は、信号処理部８、Ａ／Ｄ変換部９およびバス２５を介して撮像素子６が１フレーム毎に順次出力する画像データを一時的に記録する。
【００４２】
Ｆｌａｓｈメモリ２２は、不揮発性メモリを用いて構成される。Ｆｌａｓｈメモリ２２は、プログラム記録部２２１と、特殊効果処理情報記録部２２２と、削除理由記録部２２３と、推定削除理由情報記録部２２４と、を有する。
【００４３】
プログラム記録部２２１は、撮像装置１を動作させるための各種プログラム、撮像プログラムおよびプログラムの実行中に使用される各種データおよび画像処理部１０による画像処理の動作に必要な各画像処理のパラメータ等を記録する。
【００４４】
特殊効果処理情報記録部２２２は、特殊効果処理部１０２が実行する特殊効果処理における画像処理の組み合わせを記録する。
【００４５】
削除理由記録部２２３は、制御部２６の制御のもと、表示部１７が削除理由推定部１５によって推定された複数の削除理由を表示している際に、入力部１６から入力される指示信号に応じて選択された削除理由に関する情報を記録する。さらに、削除理由記録部２２３は、入力部１６から入力される指示信号に応じて選択された削除理由に関する情報と特徴量算出部１４が算出した被写体の特徴量とを対応付けて記録する。また、削除理由記録部２２３は、入力部１６から入力される指示信号に応じて各削除理由が選択される毎に、各削除理由の選択回数（選択履歴）を更新して記録する。なお、削除理由記録部２２３は、入力部１６から入力される指示信号に応じて各削除理由が選択される毎に、各削除理由に関する情報に重み付けを行って記録してもよい。
【００４６】
推定削除理由情報記録部２２４は、削除理由推定部１５が特徴量算出部１４によって算出された被写体の特徴量に基づいて、複数の削除理由を推定する際に参照する推定削除理由情報を記録する。
【００４７】
ここで、推定削除理由情報記録部２２４が記録する推定削除理由情報について説明する。図３は、推定削除理由情報記録部２２４が記録する推定削除理由情報としての推定削除理由情報テーブルの一例を示す図である。
【００４８】
図３に示すように、推定削除理由情報テーブルＴ１には、特徴量算出部１４が算出する各特徴量に関する情報に対して、画像処理部１０が行う画像処理の画像処理のパラメータおよび削除理由推定部１５が推定する削除理由がそれぞれ対応付けられて記載されている。たとえば、特徴量算出部１４が被写体の特徴量に関する情報として特殊効果「Ｎｏ」、顔検出「した」、ペット検出「−」、風景判定「した」、晴天風景判定「した」、個人認証「−」、明暗差「大きい」および彩度「−」を算出した場合、画像処理部１０が行う画像処理の画像処理パラメータとして「青と緑彩度強調、逆行補正中」とし、推定する削除理由として「顔が暗い」、「顔が明るい」、「鮮やかすぎ」、「鮮やかでない」および「不明」をそれぞれ推定する。
【００４９】
このように、推定削除理由情報テーブルＴ１には、削除理由推定部１５が特徴量算出部１４によって算出された特徴量に、画像処理部１０が行う画像処理の画像処理パラメータおよび削除理由推定部１５が推定する削除理由がそれぞれ対応付けて記録されている。
【００５０】
ここで、上述した画像処理部１０が行う画像処理のパラメータについて説明する。なお、以下における画像処理のパラメータは、特徴量算出部１４がシーン判定しなかった時や初期設定等の画像処理のパラメータを基本とする画質に対して変更したものである。
彩度強調処理は、削除理由「鮮やかすぎ」の選択回数が削除理由「鮮やかでない」の選択回数より多い場合、彩度の強調を弱め、削除理由「鮮やかでない」の選択回数が削除理由「鮮やかすぎ」の選択回数より多い場合、彩度の強調を強め、削除理由「鮮やかすぎ」の選択回数と削除理由「鮮やかでない」の選択回数が同等の場合、変更を行わない。
彩度抑圧処理は、削除理由「鮮やかすぎ」の選択回数が削除理由「鮮やかでない」の選択回数より多い場合、彩度の抑圧を強め、削除理由「鮮やかでない」の選択回数が削除理由「鮮やかすぎ」の選択回数より多い場合、彩度の抑圧を弱め、削除理由「鮮やかすぎ」の選択回数と削除理由「鮮やかでない」の選択回数が同等の場合、変更を行わない。
色再現変更処理は、削除理由「鮮やかすぎ」の選択回数が削除理由「鮮やかでない」の選択回数より多い場合、彩度を抑圧し、削除理由「鮮やかでない」の選択回数が削除理由「鮮やかすぎ」の選択回収より多い場合、彩度を強調し、削除理由「鮮やかすぎ」の選択回数と削除理由「鮮やかでない」の選択回数が同等の場合、変更を行わない。
逆行補正強処理は、削除理由「顔が暗い」の選択回数が削除理由「顔が明るい」の選択回数より多い場合、逆行補正をさらに強くし、削除理由「顔が明るい」の選択回数が削除理由「顔が暗い」の選択回数より多い場合、逆行補正を弱め、削除理由「顔が暗い」の選択回数と「顔が明るい」の選択回数が同等の場合、変更を行わない。
逆行補正中処理は、削除理由「顔が暗い」の選択回数が削除理由「顔が明るい」の選択回数より多い場合、逆行補正をさらに強くし、削除理由「顔が明るい」の選択回数が削除理由「顔が暗い」の選択回数より多い場合、逆行補正を弱め、削除理由「顔が暗い」の選択回数と削除理由「顔が明るい」の選択回数が同等の場合、変更を行わない。
【００５１】
また、画像処理部１０は、特徴量算出部１４が画像データに含まれる被写体の個人認証を行った場合、上記の画像処理のパラメータの変更後、個人認証した被写体の顔を補正する。たとえば、画像処理部１０は、個人が特定され、この特定された被写体の顔に対して暗いとする削除理由が多い場合、被写体の顔の部分のみを明るくする画像処理を行う。さらに、画像処理部１０は、パターンマッチング等により、特定された被写体の顔の目を補正する。たとえば、画像処理部１０は、特定された被写体の顔の目が細い場合や顔が悲しい表情の場合、上述した画像処理後、パターンマッチング等による顔の器官検出を行い、この検出結果に基づいて、被写体の目を大きくしたり、被写体の口元を笑顔の印象になるように画像の補正処理を行う。
【００５２】
図１および図２に戻り、撮像装置１の構成の説明を続ける。本体通信部２３は、本体部２に装着されるレンズ部３との通信を行うための通信インターフェースである。
【００５３】
外部通信部２４は、所定の無線通信規格に従って、他の外部機器と無線通信を行って画像データを含む各種データを他の外部機器に送信可能である。外部通信部２４は、他の外部機器と無線通信を行って各種情報を双方向に通信を行うための通信デバイスを用いて構成される。外部通信部２４は、撮像装置１の通信モード時に、その存在を報知する識別情報（機器ＩＤ）を含む情報を定期的に送信するとともに、他の外部機器から識別情報に対応付けられたキー情報（パスワード）を受信した場合、キー情報を送信した他の外部機器との間で通信を確立する。なお、外部通信部２４は、撮像装置１の外部から装着されるメモリカード等の記録媒体１９と一体的に設けられたものであってもよい。
【００５４】
バス２５は、撮像装置１の各構成部位を接続する伝送路等を用いて構成される。バス２５は、撮像装置１の内部で発生した各種データを撮像装置１の各構成部位に転送する。
【００５５】
制御部２６は、ＣＰＵ（Central  Processing  Unit）等を用いて構成される。制御部２６は、バス２５を介して、入力部１６からの指示信号またはレリーズ信号に応じて撮像装置１を構成する各部に対応する指示やデータの転送等を行って撮像装置１の動作を統括的に制御する。制御部２６は、セカンドレリーズ信号が入力された場合、撮像装置１における撮影動作を開始する制御を行う。ここで、撮像装置１における撮影動作とは、シャッタ駆動部５および撮像素子駆動部７の駆動によって撮像素子６が出力した画像データに対し、信号処理部８、Ａ／Ｄ変換部９および画像処理部１０が所定の処理を施す動作をいう。このように処理が施された画像データは、制御部２６の制御のもと、画像圧縮展開部１３で圧縮され、バス２５およびメモリＩ／Ｆ２０を介して記録媒体１９に記録される。
【００５６】
制御部２６の詳細な構成について説明する。制御部２６は、画像処理制御部２６１と、表示制御部２６２と、記録制御部２６３と、を有する。
【００５７】
画像処理制御部２６１は、特徴量算出部１４が算出した被写体の特徴量と削除理由記録部２２３が記録する各削除理由情報（選択回数や重み付け）とに基づいて、画像処理部１０が画像データに対して画像処理を行う際の画像処理のパラメータを制御する。具体的には、画像処理制御部２６１は、顔が暗いとする削除理由の回数が多い場合や重み付けが大きい場合、画像処理部１０に逆光補正をさらに強くさせる制御を行う。たとえば、画像処理制御部２６１は、選択された削除理由のこれまでの選択回数に応じて、画像処理部１０が画像データに対して行う画像処理のパラメータを変更することによって、ユーザの好みが反映された画像を画像処理部１０に生成させる。
【００５８】
表示制御部２６２は、表示部１７の表示態様を制御する。具体的には、表示制御部２６２は、表示駆動部１８を駆動し、画像処理部１０が画像処理を施した画像データに対応するライブビュー画像を表示部１７に表示させる。また、表示制御部２６２は、削除理由推定部１５が推定した複数の削除理由を表示部１７に表示させる。さらに、表示制御部２６２は、撮像装置１の各種設定に関する情報を表示部１７に表示させる。
【００５９】
記録制御部２６３は、入力部１６からの指示信号に応じて選択された削除理由に関する情報を削除理由記録部２２３に記録するとともに、表示部１７が表示する画像に対応する画像データを記録媒体１９またはＳＤＲＡＭ２１から削除する。また、記録制御部２６３は、選択された削除理由に関する情報と特徴量算出部１４が算出した特徴量とを対応付けて削除理由記録部２２３に記録する。さらに、記録制御部２６３は、画像データと特徴量算出部１４が算出した特徴量とを対応付けて記録媒体１９に記録する。
【００６０】
以上の構成を有する本体部２に対して、音声入出力機能、フラッシュ機能および電子ビューファインダ（ＥＶＦ）等を具備させてもよい。
【００６１】
レンズ部３は、光学系３１と、レンズ駆動部３２と、絞り３３と、絞り駆動部３４と、レンズ操作部３５と、レンズＦｌａｓｈメモリ３６と、レンズ通信部３７と、レンズ制御部３８と、を備える。
【００６２】
光学系３１は、一または複数のレンズを用いて構成される。光学系３１は、所定の視野領域から光を集光する。光学系３１は、画角を変化させる光学ズーム機能および焦点を変化させるフォーカス機能を有する。レンズ駆動部３２は、ＤＣモータまたはステッピングモータ等を用いて構成され、光学系３１のレンズを光軸Ｌ上で移動させることにより、光学系３１のピント位置や画角等の変更を行う。
【００６３】
絞り３３は、光学系３１が集光した光の入射量を制限することにより露出の調整を行う。絞り駆動部３４は、ステッピングモータ等を用いて構成され、絞り３３を駆動する。
【００６４】
レンズ操作部３５は、図１に示すように、レンズ部３のレンズ鏡筒の周囲に設けられるリングであり、レンズ部３における光学ズームの操作を開始する操作信号の入力、またはレンズ部３におけるピント位置の調整を指示する指示信号の入力を受け付ける。なお、レンズ操作部３５は、プッシュ式のスイッチ等であってもよい。
【００６５】
レンズＦｌａｓｈメモリ３６は、光学系３１の位置および動きそれぞれを決定するための制御用プログラム、光学系３１のレンズ特性および各種パラメータを記録する。
【００６６】
レンズ通信部３７は、レンズ部３が本体部２に装着されたときに、本体部２の本体通信部２３と通信を行うための通信インターフェースである。
【００６７】
レンズ制御部３８は、ＣＰＵ等を用いて構成される。レンズ制御部３８は、レンズ操作部３５の操作信号または本体部２からの指示信号に応じてレンズ部３の動作を制御する。具体的には、レンズ制御部３８は、レンズ操作部３５の操作信号に応じて、レンズ駆動部３２を駆動させてレンズ部３のピント合わせやズーム変更を行うとともに、絞り駆動部３４を駆動させて絞り値の変更を行う。なお、レンズ制御部３８は、レンズ部３が本体部２に装着された際に、レンズ部３のピント位置情報、焦点距離およびレンズ部３を識別する固有情報等を本体部２に送信するようにしてもよい。
【００６８】
以上の構成を有する撮像装置１が実行する処理について説明する。図４は、撮像装置１が実行する処理の概要を示すフローチャートである。
【００６９】
図４に示すように、まず、ユーザによって電源スイッチ１６１が操作されて、撮像装置１の電源がオンになると、制御部２６は、撮像装置１の初期化を行う（ステップＳ１０１）。具体的には、制御部２６は、動画の記録中を示す記録中フラグをオフ状態にする初期化を行う。この記録中フラグは、動画の撮影中にオン状態になり、動画を撮影していないときにオフ状態となるフラグである。
【００７０】
続いて、再生スイッチ１６６が操作されることなく（ステップＳ１０２：Ｎｏ）、メニュースイッチ１６５が操作された場合（ステップＳ１０３：Ｙｅｓ）、撮像装置１は、設定を変更するためのメニュー画面を表示し、ユーザの選択操作に応じて撮像装置１の各種条件を設定するカメラ設定を実行する（ステップＳ１０４）。ここで、カメラ設定で設定される内容は、仕上がり効果処理、アート効果処理、静止画記録モード、動画記録モードなどである。仕上がり効果処理には、たとえば画像を自然な色合いに仕上げる処理であるナチュラル、画像を色鮮やかに仕上げる処理であるビビッド、被写体の素材性を重視して仕上げる処理であるフラット、画像をモノクロ調に仕上げる処理であるモノトーンなどが含まれる。静止画記録モードは、記録対象とする静止画の種類に応じて定められ、たとえばＪＰＥＧ記録モード、ＪＰＥＧ＋ＲＡＷ記録モード、ＲＡＷ記録モードなどがある。動画撮影モードは、動画圧縮形式に応じて定められるモードであって、たとえばＭｏｔｉｏｎ−ＪＰＥＧモード、ＭＰ４（Ｈ．２６４）モードなどがある。ステップＳ１０４の後、撮像装置１は、ステップＳ１０５へ移行する。
【００７１】
ステップＳ１０２で再生スイッチ１６６が操作されることなく（ステップＳ１０２：Ｎｏ）、メニュースイッチ１６５が操作されていない場合（ステップＳ１０３：Ｎｏ）において、撮像装置１は、ステップＳ１０５に移行する。
【００７２】
ステップＳ１０５において、動画スイッチ１６７が操作された場合（ステップＳ１０５：Ｙｅｓ）、制御部２６は、オン状態で動画の記録中であることを示す記録中フラグを反転する（ステップＳ１０６）。
【００７３】
続いて、制御部２６は、ＳＤＲＡＭ２１に記録された記録中フラグがオン状態であるか否かを判断する（ステップＳ１０７）。記録中フラグがオン状態であると制御部２６が判断した場合（ステップＳ１０７：Ｙｅｓ）、制御部２６は、記録媒体１９に画像データを時系列に沿って記録するための動画ファイルを記録媒体１９に生成し（ステップＳ１０８）、撮像装置１は、ステップＳ１０９へ移行する。一方、記録中フラグがオン状態でないと制御部２６が判断した場合（ステップＳ１０７：Ｎｏ）、撮像装置１は、ステップＳ１０９へ移行する。
【００７４】
ステップＳ１０５において、動画スイッチ１６７が操作されていない場合（ステップＳ１０５：Ｎｏ）、撮像装置１は、ステップＳ１０９へ移行する。
【００７５】
続いて、撮像装置１が動画の記録中でない場合（ステップＳ１０９：Ｎｏ）において、レリーズスイッチ１６２からファーストレリーズ信号が入力されたとき（ステップＳ１１０：Ｙｅｓ）、制御部２６は、ＡＥ処理部１１に露出を調整するＡＥ処理およびＡＦ処理部１２にピントを調整するＡＦ処理をそれぞれ実行させる（ステップＳ１１１）。
【００７６】
その後、制御部２６は、電源スイッチ１６１が操作されることにより、撮像装置１の電源がオフされたか否かを判断する（ステップＳ１１２）。撮像装置１の電源がオフされたと制御部２６が判断した場合（ステップＳ１１２：Ｙｅｓ）、撮像装置１は、本処理を終了する。これに対して、撮像装置１の電源がオフされていないと制御部２６が判断した場合（ステップＳ１１２：Ｎｏ）、撮像装置１は、ステップＳ１０２へ戻る。
【００７７】
ステップＳ１１０において、レリーズスイッチ１６２からファーストレリーズ信号がなく（ステップＳ１１０：Ｎｏ）、レリーズスイッチ１６２からセカンドレリーズ信号が入力された場合（ステップＳ１１３：Ｙｅｓ）、制御部２６は、シャッタ駆動部５および撮像素子駆動部７をそれぞれ駆動することにより、メカシャッタによる撮影を行う（ステップＳ１１４）。
【００７８】
続いて、制御部２６は、撮像された画像データに対して、画像処理部１０に画像処理を実行させる（ステップＳ１１５）。
【００７９】
図５は、ステップＳ１１５の画像処理の概要を示すフローチャートである。図５に示すように、特徴量算出部１４は、ＳＤＲＡＭ２１に記録された画像データを取得し、取得した画像データに基づいて、撮影時におけるシーンを解析して被写体の特徴量を算出する（ステップＳ２０１）。
【００８０】
続いて、画像処理制御部２６１は、特徴量算出部１４が算出した特徴量と、削除理由記録部２２３に記録（蓄積された）された削除理由情報とに基づいて、画像処理部１０が画像処理時に用いる画像処理のパラメータを算出する（ステップＳ２０２）。
【００８１】
その後、画像処理部１０は、画像処理制御部２６１が算出した画像処理のパラメータを用いて画像データの現像処理を実行する（ステップＳ２０３）。具体的には、画像処理部１０は、画像処理制御部２６１が算出した画像処理のパラメータに基づいて、ＯＢ減算処理、ＷＢ補正処理、撮像素子６がベイヤー配列の場合には同時化処理、カラーマトリックス演算処理、γ変換処理、色補正処理、エッジ強調処理およびＮＲ処理等を行う。ステップＳ２０３の後、撮像装置１は、メインルーチンへ戻る。
【００８２】
図４に戻り、ステップＳ１１６以降の説明を続ける。ステップＳ１１６において、制御部２６は、画像処理部１０が画像処理を施した画像データを画像圧縮展開部１３に圧縮させ、この圧縮した画像データと特徴量算出部１４が算出した被写体の特徴量と、画像処理のパラメータとを対応付けて記録媒体１９に記録させる（ステップＳ１１６）。具体的には、制御部２６は、記録媒体１９の画像ファイルのヘッダに被写体の特徴量および画像処理のパラメータを記録する。さらに、制御部２６は、画像ファイルのヘッダに被写体の特徴量およびパラメータを記録する場合、各情報を特定するための識別情報（ＩＤ）を付加して記録してもよい。さらにまた、制御部２６は、記録媒体１９の別ファイルまたはＦｌａｓｈメモリ２２に、被写体の特徴量および画像処理のパラメータ等と、各情報を特定するための識別情報とを対応付けて記録してもよい。これにより、後述する再生表示処理において、特徴量算出部１４が画像データに基づいて、被写体の特徴量を算出する処理および画像処理部１０によるパラメータを算出する処理を省略することができる。また、表示制御部２６２は、画像データに対応する画像を表示部１７にレックビュー表示させてもよい。ステップＳ１１６の後、撮像装置１は、ステップＳ１１２へ移行する。
【００８３】
ステップＳ１０９において撮像装置１が動画の記録中である場合（ステップＳ１０９：Ｙｅｓ）、およびステップＳ１１３においてレリーズスイッチ１６２からセカンドレリーズ信号がない場合（ステップＳ１１３：Ｎｏ）について説明する。この場合、制御部２６は、ＡＥ処理部１１にＡＥ処理およびＡＦ処理部１２にＡＦ処理をそれぞれ実行させる（ステップＳ１１７）。
【００８４】
続いて、制御部２６は、撮像素子駆動部７を駆動することにより、電子シャッタによる撮影を行う（ステップＳ１１８）。
【００８５】
その後、制御部２６は、撮像された画像データに対して、画像処理部１０に画像処理（図５を参照）を実行させる（ステップＳ１１９）。
【００８６】
続いて、表示制御部２６２は、画像処理部１０が画像処理を施した画像データに対応する画像をライブビュー表示させる（ステップＳ１２０）。
【００８７】
その後、撮像装置１が動画記録中である場合（ステップＳ１２１：Ｙｅｓ）、制御部２６は、画像処理部１０が画像処理を施した画像データを画像圧縮展開部１３で所定の形成で圧縮して記録媒体１９の動画ファイルに時系列に沿って記録する（ステップＳ１２２）。ステップＳ１２２の後、撮像装置１は、ステップＳ１１２へ移行する。一方、撮像装置１が動画記録中でない場合（ステップＳ１２１：Ｎｏ）、撮像装置１は、ステップＳ１１２へ移行する。
【００８８】
ステップＳ１０２において、再生スイッチ１６６が操作された場合（ステップＳ１０２：Ｙｅｓ）について説明する。この場合、撮像装置１は、記録媒体１９に記録されている画像データに対応する画像を表示部１７に表示する再生表示処理を実行する（ステップＳ１２３）。なお、再生表示処理の詳細については後述する。ステップＳ１２３の後、撮像装置１は、ステップＳ１１２へ移行する。
【００８９】
つぎに、図４のステップＳ１２３で説明した再生表示処理について説明する。図６は、再生表示処理の概要を示すフローチャートである。
【００９０】
図６に示すように、画像処理部１０は、記録媒体１９に記録された各画像データに対応する画像を縮小した小画像を生成する（ステップＳ３０１）。この際、画像処理部１０は、記録媒体１９に動画データが記録されている場合、動画データにおける所定の１フレームの画像（たとえば、最初の１フレーム目の画像）を縮小した小画像を生成する。さらに、画像処理部１０は、記録媒体１９の画像ファイルのヘッダにサムネール画像やスクリーンネール画像が記録されている場合、小画像に代えて、このサムネール画像やスクリーンネール画像を画像ファイルから読み出してもよい。
【００９１】
続いて、表示制御部２６２は、画像処理部１０が生成した小画像の一覧を表示部１７に表示させる（ステップＳ３０２）。この際、表示制御部２６２は、初期状態で記録媒体１９に記録された最新の画像データに対応する小画像に選択されていることを示す情報、たとえば太枠やハイライト表示させて表示部１７に表示させる。
【００９２】
続いて、操作スイッチ１６４（十字キー）が操作された場合（ステップＳ３０３：Ｙｅｓ）、表示制御部２６２は、操作スイッチ１６４から入力される指示信号に応じて、選択されている小画像のカーソルを移動して表示部１７に表示させる（ステップＳ３０４）。ステップＳ３０４の後、撮像装置１は、ステップＳ３０８へ移行する。
【００９３】
ステップＳ３０３において、操作スイッチ１６４が操作されることなく（ステップＳ３０３：Ｎｏ）、操作スイッチ１６４の決定スイッチ１６４ｅが操作された場合（ステップＳ３０５：Ｙｅｓ）、表示制御部２６２は、現在のカーソル位置の小画像を表示部１７に全画面表示させる（ステップＳ３０６）。ステップＳ３０６の後、撮像装置１は、ステップＳ３０８へ移行する。
【００９４】
ステップＳ３０５において、操作スイッチ１６４の決定スイッチ１６４ｅが操作されることなく（ステップＳ３０５：Ｎｏ）、削除スイッチ１６３が操作されていない場合（ステップＳ３０７：Ｎｏ）、制御部２６は、画像データの再生を終了する再生終了操作が行われたか否かを判断する（ステップＳ３０８）。具体的には、制御部２６は、再生スイッチ１６６が操作されたか否かを判断する。再生終了操作が行われたと制御部２６が判断した場合（ステップＳ３０８：Ｙｅｓ）、撮像装置１は、図４のメインルーチンへ戻る。一方、再生終了操作が行われていないと制御部２６が判断した場合（ステップＳ３０８：Ｎｏ）、撮像装置１は、ステップＳ３０３へ戻る。
【００９５】
ステップＳ３０７において、削除スイッチ１６３が操作された場合（ステップＳ３０７：Ｙｅｓ）について説明する。この場合、特徴量算出部１４は、削除対象の画像に対応する画像データに基づいて、撮影時におけるシーンを解析して被写体の特徴量を算出する（ステップＳ３０９）。
【００９６】
続いて、削除理由推定部１５は、特徴量算出部１４が算出した特徴量に基づいて、複数の削除理由を推定する（ステップＳ３１０）。
【００９７】
その後、表示制御部２６２は、削除理由推定部１５が推定した削除理由を表示部１７に表示させる（ステップＳ３１１）。
【００９８】
図７は、表示制御部２６２が表示部１７に表示させる推定理由の一例を示す図である。図７に示すように、表示制御部２６２は、表示部１７に削除理由画面Ｗ１０を表示させるとともに、削除理由画面Ｗ１０上に削除理由に関する削除項目アイコンＡ１〜Ａ５を表示部１７に表示させる。この場合、表示制御部２６２は、削除理由推定部１５が推定した複数の削除理由を削除理由画面Ｗ１０上の表示領域において無作為に並べて表示部１７に表示させる。また、表示制御部２６２は、ユーザが選択しにくいように削除理由としての不明アイコンＡ５を最初に選択されている削除理由の項目から一番遠い位置に表示させる。さらに、表示制御部２６２は、削除項目の順番を無作為に表示部１７に表示させる。これにより、ユーザが削除理由画面Ｗ１の上部の削除項目しか選択しない場合であっても、ユーザの選択の特徴による揺らぎ（ノイズ）を排除することができる。
【００９９】
ステップＳ３１２において、メニュースイッチ１６５またはレリーズスイッチ１６２等が操作されることにより、キャンセル操作された場合（ステップＳ３１２：Ｙｅｓ）、表示制御部２６２は、削除理由の表示を表示部１７に停止させる（ステップＳ３１３）。その後、撮像装置１は、ステップＳ３０８へ移行する。
【０１００】
ステップＳ３１２において、キャンセル操作がなく（ステップＳ３１２：Ｎｏ）、削除理由が選択された場合（ステップＳ３１４：Ｙｅｓ）、表示制御部２６２は、削除理由の表示を表示部１７に停止させる（ステップＳ３１５）。一方、キャンセル操作がなく（ステップＳ３１２：Ｎｏ）、削除理由が選択されていない場合（ステップＳ３１４：Ｎｏ）、撮像装置１は、ステップＳ３１２へ戻る。
【０１０１】
ステップＳ３１６において、記録制御部２６３は、削除理由を削除理由記録部２２３に記録する。この際、記録制御部２６３は、削除理由と特徴量とを対応付けて削除理由記録部２２３に記録させてもよい。
【０１０２】
続いて、記録制御部２６３は、削除対象の画像に対応する画像データを記録媒体１９から削除する（ステップＳ３１７）。
【０１０３】
その後、表示制御部２６２は、小画像の一覧表示を表示部１７に更新させて表示させる（ステップＳ３１８）。ステップＳ３１８の後、撮像装置１は、ステップＳ３０８へ移行する。
【０１０４】
以上説明した本発明の一実施の形態によれば、削除理由推定部１５が表示部１７によって画像が表示されている場合において、この画像を記録媒体１９から削除するとき、この画像に対応付けられた特徴量に基づいて、複数の削除理由を推定し、表示制御部２６２が削除理由推定部によって推定された複数の削除理由を表示部１７に表示させる。これにより、ユーザによって削除対象になった画像データの削除理由を得ることができる。
【０１０５】
さらに、本発明の一実施の形態によれば、記録制御部２６３が削除理由に関する情報を削除理由記録部２２３に記録するので、確実にユーザの削除理由を収集することができる。
【０１０６】
また、本発明の一実施の形態によれば、画像処理制御部２６１が削除理由記録部２２２に記録された各削除理由の選択回数に基づいて、画像処理部１０が行う画像処理のパラメータを制御するので、ユーザの画質の好みを反映した画像データを自動的に生成することができる。
【０１０７】
なお、本発明の一実施の形態では、記録制御部２６３が削除理由記録部２２３に選択された削除理由を記録していたが、たとえば外部通信部２４を介して外部のサーバに削除理由を送信してもよい。
【０１０８】
（変形例１）
上述した本発明の一実施の形態では、表示制御部２６２が削除理由推定部１５によって推定された複数の削除理由を表示部１７に表示させていたが、表示部１７に表示させる削除理由の数を制限してもよい。
【０１０９】
図８は、本発明の一実施の形態の変形例１における撮像装置１の表示制御部２６２が表示部１７に表示させる削除理由の一例を示す図である。
【０１１０】
図８に示すように、表示制御部２６２は、削除理由推定部１５が推定した複数の削除理由の中から数を減らして表示部１７に表示させてもよい。たとえば、図８に示すように、表示制御部２６２は、削除理由選択画面Ｗ２０上に、削除理由推定部１５が推定した複数の削除理由の中から鮮やかすぎアイコンＡ１１および不明アイコンＡ１２を表示部１７に表示させる。さらに、表示制御部２６２は、削除理由推定部１５が推定した複数の削除理由の中から無作為に選択して表示部１７に表示させる。
【０１１１】
以上説明した本発明の一実施の形態の変形例１によれば、表示制御部２６２が削除理由推定部１５によって推定された複数の削除理由の中から数を制限するとともに、無作為に選択して表示部１７に表示させる。これにより、ユーザは、削除理由の選択肢が少なくなるため、容易に削除理由を選択することができる。
【０１１２】
さらに、本発明の一実施の形態の変形例１によれば、表示制御部２６２が削除理由推定部１５によって推定された複数の削除理由の中から数を制限するとともに、無作為に選択して表示部１７に表示させる。これにより、ユーザが削除理由を選択する際に、繰り返し削除理由を表示することで、ユーザの好みの傾向を把握することができる。
【０１１３】
なお、上述した本発明の一実施の形態の変形例１では、表示制御部２６２が削除理由推定部１５によって推定された複数の削除理由の中から２つを無作為に選択して表示部１７に表示させていたが、表示部１７に表示させる削除理由の数は、適宜変更することができる。
【０１１４】
また、上述した本発明の一実施の形態の変形例１では、表示制御部２６２が削除理由記録部２２３によって記録された複数の削除理由それぞれに関する重み付けに基づいて、表示部１７に表示させる削除理由の数を制限してもよい。これにより、ユーザの傾向をより把握することができる。
【０１１５】
（変形例２）
本発明の一実施の形態では、画像処理部１０が削除理由推定部１５によって推定された複数の削除理由に基づいて、推定された削除理由を解消する画像処理を施した画像データを生成し、この画像データに対応する画像で削除理由を解消する画像として表示部１７に表示させてもよい。
【０１１６】
図９は、本発明の一実施の形態の変形例２における撮像装置１の表示制御部２６２が表示部１７に表示させる画像の一例を示す図である。
【０１１７】
図９に示すように、画像処理部１０は、削除理由推定部１５が推定した複数の削除理由に基づいて、推定された削除理由を解消する内容（打ち消す内容）、たとえば顔が暗いとする削除理由に対して顔を明るくする画像処理のパラメータを施した処理画像データを生成する。その後、表示制御部２６２は、画像処理部１０が基本画像処理を施した画像データに対応する画像Ｗ３０、画像処理部１０が生成した複数の処理画像データそれぞれに対応する処理画像Ｗ４０、処理画像Ｗ５０および不明を示す不明アイコンＷ６０を表示部１７に表示させる。なお、図９においては、処理画像Ｗ４０が画像処理部１０によって人の顔が鮮やかになる画像処理のパラメータを施された状態を示し、処理画像Ｗ５０が画像処理部１０によって花が鮮やかになる画像処理のパラメータを施された状態を示す。
【０１１８】
以上説明した本発明の一実施の形態の変形例２によれば、表示制御部２６２が画像処理部１０によって削除理由を打ち消す内容の画像処理パラメータを施した複数の処理画像データそれぞれに対応する複数の処理画像および基本画像処理を施した画像データに対応する画像を表示部１７に表示させる。これにより、ユーザは、基本画像処理が施された画像と削除理由が解消された処理画像とを見比べながら直感的に好み（削除理由）を選択することができる。
【０１１９】
また、本発明の一実施の形態の変形例２では、記録制御部２６３は、ユーザがタッチパネル１６８または操作スイッチ１６４を介して処理画像を選択した場合、選択された処理画像に対応する処理画像データを記録媒体１９に記録してもよい。
【０１２０】
（変形例３）
本発明の一実施の形態では、表示部１７が複数の削除理由を表示している場合において、ユーザによって複数の削除理由の中から一つが選択されたとき、画像処理部１０は、選択された削除理由を解消する内容の画像処理パラメータを施した処理画像データを生成してもよい。
【０１２１】
図１０は、本発明の一実施の形態の変形例３における撮像装置の表示制御部２６２が表示部１７に表示させる画像の一例を示す図である。
【０１２２】
図１０に示すように、表示部１７が複数の削除理由を表示している場合（図７を参照）において、ユーザによって複数の削除理由の中から削除理由として顔が暗いが選択されたとき、画像処理部１０は、選択された削除理由を解消する内容の画像処理のパラメータを施した処理画像データを生成する。続いて、表示制御部２６２は、画像処理部１０が生成した処理画像データに対応する処理画像Ｗ１００を表示部１７に表示させる。その後、記録制御部２６３は、ユーザがタッチパネル１６８を介して被写体Ｋ１をタッチした場合、タッチパネル１６８から入力される位置信号に基づいて、特徴量算出部１４に被写体Ｋ１の特徴量を算出させ、この算出させた特徴量と個人認証とを対応付けて削除理由記録部２２３に記録させる。
【０１２３】
以上説明した本発明の一実施の形態の変形例３によれば、タッチパネル１６８を介して表示部１７が表示する処理画像の被写体が選択された場合、記録制御部２６３が選択された被写体の特徴量を個人認証として削除理由記録部２２３に記録する。これにより、ユーザが所望する被写体に対して画像処理のパラメータを反映させた絵作りを行うことができる。
【０１２４】
（変形例４）
本発明の一実施の形態では、表示部１７が複数の削除理由を表示している場合において、ユーザによって複数の削除理由の中から一つが選択されたとき、画像処理部１０は、選択された削除理由を解消する内容の画像処理のパラメータを施した複数の処理画像データを生成してもよい。
【０１２５】
図１１は、本発明の一実施の形態の変形例４における撮像装置１の表示制御部２９２が表示部１７に表示させる画像の一例を示す図である。
【０１２６】
図１１に示すように、表示部１７が複数の削除理由を表示している場合（図７を参照）において、ユーザによって複数の削除理由の中から削除理由として顔が暗いが選択されたとき、画像処理部１０は、選択された削除理由を解消する内容の画像処理のパラメータを施した複数の処理画像データを生成する。続いて、表示制御部２６２は、画像処理部１０が基本画像処理を施した画像データに対応する画像Ｗ２１０を表示部１７に表示させるとともに、画像処理部１０が生成した複数の処理画像データそれぞれに対応する処理画像Ｗ２２０、処理画像Ｗ２３０および不明アイコンＷ２４０を表示部１７に表示させる。その後、記録制御部２６３は、タッチパネル１６８等を介して処理画像Ｗ２２０が選択された場合、ユーザが選択した削除理由を削除理由記録部２２３に記録するとともに、画像Ｗ２１０に対応する画像データを記録媒体１９から削除させる。さらに、記録制御部２６３は、画像処理のパラメータをプログラム記録部２２１に記録させる。
【０１２７】
以上説明した本発明の一実施の形態の変形例４によれば、ユーザが直感的に好みの画像処理のパラメータが施された画像を選択することができるとともに、記録媒体１９の記録容量を有効に使用することができる。
【０１２８】
（変形例５）
本発明の一実施の形態では、ユーザが一つの画像を削除する場合について説明したが、たとえば撮像装置１の一連の連写動作によって撮像された複数の画像をそれぞれ削除する場合であっても適用することができる。ここで、一連の連写動作とは、撮像装置１が連写モードに設定されている場合において、レリーズスイッチ１６２が半押しされてから全押し状態に遷移し、この全押し状態が解除されるまでの期間に撮像素子６が連続的に複数の画像データを生成する動作である。なお、一連の連写動作によって生成された画像データは、時系列に沿ってＳＤＲＡＭ２１に順次記録される。
【０１２９】
図１２は、本発明の一実施の形態の変形例５における撮像装置１の表示制御部２６２が表示部１７に表示させる画像の一例を示す図である。
【０１３０】
図１２に示すように、表示部１７が撮像装置１の一連の連写動作の終了直後に撮像装置１の一連の連写動作によって生成された複数の画像データそれぞれに対応する画像Ｗ３０１〜画像Ｗ３０９を表示する場合（レックビュー表示）、表示制御部２６２は、撮像装置１の一連の連写動作の中で特徴量算出部１４によって算出された被写体の特徴量が最も高い画像（ベストショット画像）、たとえば画像Ｗ３０５を表示部１７にハイライト表示させる。この場合、特徴量算出部１４は、被写体の状態を特徴量として算出する。たとえば、特徴量算出部１４は、被写体の表情、被写体のポーズ（たとえば笑顔やピースサイン）、被写体の位置、被写体の目つぶり、被写体の像ブレ、被写体の顔の向きおよび被写体のフレームアウトのいずれか一つ以上の特徴量を算出する。
【０１３１】
図１２に示す場合、特徴量算出部１４は、被写体の表情で最も笑っている画像に対して特徴量を高く算出する。その後、記録制御部２６３は、ユーザがタッチパネル１６８を介して画像３０４をタッチした場合、タッチパネル１６８から入力される位置信号に基づいて、特徴量算出部１４に画像Ｗ３０４の特徴量を算出させ、この算出させた特徴量（たとえば顔の表情）と画像Ｗ３０４に写る被写体の個人認証とを対応付けて削除理由記録部２２３に記録させる。さらに、記録制御部２６３は、画像Ｗ３０４を記録媒体１９に記録させ、他の画像Ｗ３０１〜画像Ｗ３０３および画像Ｗ３０５〜画像Ｗ３０９をＳＤＲＡＭ２１から削除する。さらにまた、撮像装置１は、連写した複数の画像データに対して、特徴量算出部１４が算出した最も特徴量が高い画像と異なる画像をユーザがタッチパネル１６８等を介して選択した場合、各種特徴量のパラメータの重み付けを変更することによって、ユーザの嗜好にあうパラメータの重み付けを再設定し、この設定内容をＦｌａｓｈメモリ２２に記録する。これにより、次回からよりユーザの嗜好にあう画像を最適画像として算出することができる。なお、図１２においては、表示部１７が９枚の画像Ｗ３０１〜画像Ｗ３０９であったが、表示部１７が表示する画像の数を適宜変更することもできる。
【０１３２】
以上説明した本発明の一実施の形態の変形例５によれば、ユーザが撮像装置１の一連の連写動作によって撮像された複数の画像の中から好みの画像を選択して記録させることができるとともに、次回の撮像装置１の一連の連写動作によって撮影された複数の画像の中からユーザの好みの画像を優先的に表示部１７に表示させることができる。
【０１３３】
さらに、本発明の一実施の形態の変形例５では、ユーザの画質の好みだけでなく、被写体の表情、被写体の目つぶり、被写体のポーズ、被写体の位置、被写体の像ブレ、被写体の顔の向きおよび被写体のフレームアウト等を含むユーザが好む撮影の構図や状態を得ることができるとともに、次回の撮影に反映することができる。
【０１３４】
なお、本発明の一実施の形態の変形例５では、表示制御部２６２が特徴量算出部１４によって算出された撮像装置１の一連の撮影動作で生成された複数の画像データそれぞれの特徴量が所定の範囲を超えた画像のみ表示部１７に表示させるようにしてもよい。
【０１３５】
また、本発明の一実施の形態の変形例５では、撮像装置１のピントが一定の状態で連写を行っていたが、たとえば制御部２６がレンズ部３のレンズ駆動部３２を駆動させてレンズ部３のピント状態を変更させながら被写体に対して連写を行ってもよい。
【０１３６】
また、本発明の一実施の形態の変形例５では、撮像装置１の露出が一定の状態で連写を行っていたが、たとえば制御部２６が露出値を変更させながら被写体に対して連写を行ってもよい。
【０１３７】
また、本発明の一実施の形態の変形例５では、一つの画像データに対して異なるパラメータの画像処理を施して複数の処理画像データを生成するブラケット撮影（ピクチャーブラケット）であっても適用することができる。さらに、一つの画像データに対して複数の特殊効果処理を施して複数の特殊効果画像データを生成するアートフィルタ（登録商標）ブラケット撮影であっても適用することができる。
【０１３８】
また、本発明の一実施の形態の変形例５では、連写時に一旦記録媒体１９またはＳＤＲＡＭ２１に連写画像を記録し、再生時に複数の画像データを表示させ、特徴量算出部１４によって算出された特徴量が最も高い画像を表示部１７にハイライト表示させてもよい。さらに、これらの画像に対してユーザの操作により選択された画像のみを選択理由とともに記録媒体１９に記録し、その他の画像を記録媒体１９から削除してもよい。
【０１３９】
（その他の実施の形態）
また、本発明の一実施の形態では、外部通信部が外部のネットワークに接続された際に、削除理由記録部が記録する各削除理由の回数を外部のサーバに送信してもよい。さらに、サーバを介して削除理由記録部２２３が記録する各削除理由の内容を更新または変更してもよい。
【０１４０】
また、本発明の一実施の形態では、記録制御部が削除理由記録部に各削除理由の回数を更新して記録させていたが、操作スイッチから削除理由の履歴を削除する指示信号が入力された場合、削除理由記録部が記録する各削除理由の回数をリセットしてもよい。
【０１４１】
また、本発明の一実施の形態では、インターネットを介してパーソナルコンピュータやサーバ等の外部処理装置に接続することによって、プログラム記録部、特殊効果処理情報記録部、画像処理情報記録部に記録された各種情報の更新または書き換えを行ってもよい。これにより、撮像装置は、新たに追加された撮影モード、特殊効果処理および仕上がり効果処理を組み合わせて撮影を行うことができる。
【０１４２】
また、本発明の一実施の形態では、特殊効果処理の種類は、上述した内容に限定されず、たとえば、アート、ボール、カラーマスク、キューブ、ミラー、モザイク、セピア、白黒、ウェーブ、ボール枠、風船、ドラマチックトーン、ジェントルセピア、ロック、油絵、水彩画およびスケッチ等を追加することも可能である。
【０１４３】
また、本発明の一実施の形態では、撮像装置が画像処理部を１つ備えていたが、画像処理部の数は限定されず、たとえば画像処理部が２つであってもよい。
【０１４４】
また、本発明の一実施の形態では、表示部が表示するライブビュー画像の表示について説明したが、たとえば本体部に着脱自在な外部電子ビューファインダにおいても本発明を適用することができる。
【０１４５】
また、本発明の一実施の形態では、表示部が表示するライブビュー画像の表示について説明したが、たとえば表示部とは別に電子ビューファインダを本体部２に設け、この電子ビューファインダにおいて本発明を適用するようにしてもよい。
【０１４６】
また、本発明の一実施の形態では、レンズ部が本体部に着脱自在であったが、レンズ部と本体部とが一体的に形成されていてもよい。
【０１４７】
また、本発明の一実施の形態では、撮像装置をデジタル一眼デジタルカメラとして説明していたが、たとえば、デジタルビデオカメラ、カメラ付き携帯電話やパーソナルコンピュータ等の撮影機能を備えた各種電子機器に適用することができる。
【０１４８】
本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。さらに、処理を同時（並列）に実行するようにしてもよい。
【０１４９】
このように、本発明は、ここでは記載していない様々な実施の形態を含みうるものであり、特許請求の範囲によって特定される技術的思想の範囲内で種々の設計変更等を行うことが可能である。
【符号の説明】
【０１５０】
１              撮像装置
２              本体部
３              レンズ部
４              シャッタ
５              シャッタ駆動部
６              撮像素子
７              撮像素子駆動部
８              信号処理部
９              Ａ／Ｄ変換部
１０            画像処理部
１１            ＡＥ処理部
１２            ＡＦ処理部
１３            画像圧縮展開部
１４            特徴量算出部
１５            削除理由推定部
１６            入力部
１７            表示部
１８            表示駆動部
１９            記録媒体
２０            メモリＩ／Ｆ
２１            ＳＤＲＡＭ
２２            Ｆｌａｓｈメモリ
２３            本体通信部
２４            外部通信部
２５            バス
２６            制御部
３１            光学系
３２            レンズ駆動部
３３            絞り
３４            絞り駆動部
３５            レンズ操作部
３６            レンズＦｌａｓｈメモリ
３７            レンズ通信部
３８            レンズ制御部
１０１          基本画像処理部
１０２          特殊効果処理部
１６１          電源スイッチ
１６２          レリーズスイッチ
１６３          削除スイッチ
１６４          操作スイッチ
１６５          メニュースイッチ
１６６          再生スイッチ
１６７          動画スイッチ
１６８          タッチパネル
２２１          プログラム記録部
２２２          特殊効果処理情報記録部
２２３          削除理由記録部
２２４          推定削除理由情報記録部
２６１          画像処理制御部
２６２          表示制御部
２６３          記録制御部
【図１】
2013219692.tif 000003
【図２】
2013219692.tif 000004
【図３】
2013219692.tif 000005
【図４】
2013219692.tif 000006
【図５】
2013219692.tif 000007
【図６】
2013219692.tif 000008
【図７】
2013219692.tif 000009
【図８】
2013219692.tif 000010
【図９】
2013219692.tif 000011
【図１０】
2013219692.tif 000012
【図１１】
2013219692.tif 000013
【図１２】
2013219692.tif 000014